(57)【要約】【課題】アンテナ装置の設置時に作業者の負担を軽減するとともに、精度良くアンテナのエリア構築を行うことができるアンテナ装置を提供することを課題とする。【解決手段】筐体１１と、筐体１１内に設けられた狭域帯指向アンテナおよび無線部と、狭域帯指向アンテナ１２の指向方向を調整すべく、筐体１１の俯角および水平角を調節する角度調節手段１３と、角度調節手段１３を支柱１４に固定する取付金具１５とを備えている。筐体１１には、狭域帯指向アンテナ１２の中心を外部から判別するための目印１７が設けられている。【選択図】  図１
2006211110.tif 000002
【特許請求の範囲】
【請求項１】
筐体と、前記筐体内に設けられた狭域帯指向アンテナおよび無線部と、前記狭域帯指向アンテナの指向方向を調整すべく、前記筐体の俯角および水平角を調節する角度調節手段と、前記調節手段を他の固定用物体に固定する固定手段とを備え、
前記狭域帯指向アンテナの中心を外部から判別するための判別手段が、前記筐体に設けられたこと特徴とするアンテナ装置。
【請求項２】
前記筐体または前記筐体と一体化された部材に、前記他の固定用物体が設けられている地表面に対する前記狭域帯指向アンテナの中心の高さ、および前記地表面に対する前記筐体の平行度を調節するスレッドが設けられたことを特徴とする請求項１に記載のアンテナ装置。
【請求項３】
前記スレッドは、前記筐体における前記狭域帯指向アンテナの指向方向と平行な中心線の両側に設けられていることを特徴とする請求項２に記載のアンテナ装置。
【発明の詳細な説明】
【技術分野】
【０００１】
本発明は、アンテナ装置に係り、特に通信エリアが絞られて、精密な通信エリア設計を要するアンテナ装置に関するものである。
【背景技術】
【０００２】
ある一定の通信エリアに存在する利用者に限って、電波を送信するアンテナ装置を設置する場合、アンテナ装置の方位（方向）の設定には高精度が要求される。
また、アンテナ装置の多くは高所に設置される場合が多い。
【０００３】
アンテナ装置を高所に設置する場合、足場などの作業スペースの制約から、設置作業者がアンテナの向いている方向を正確に判断するのは困難である。
【０００４】
そこで、従来、アンテナの指向方向を高精度に設置することが可能なアンテナおよびその調整方法が提案されている（例えば、特許文献１参照）。
図６は、この従来のアンテナおよびその設置方法を示す。
【０００５】
この従来のアンテナは、図６に示すように、通信相手となる別のアンテナに対する当該アンテナ７０の最適指向方向範囲を、上記通信相手となる別のアンテナ方向に対する一定領域の視野として視覚的に認識するため、アンテナ指向方向調整手段として照準手段７１を有している。
【０００６】
また、この従来のアンテナは、アンテナ７０に具備された支持台７２の蟻溝（図示せず）に、照準手段７１の支持脚７３挿入し、固定用のねじノブ７４で固定するように構成されている。
【０００７】
そして、照準手段７１を支持台７２に固定後、照準手段７１によって通信相手となるアンテナ目標物を視覚的に確認し、最適なアンテナ指向方向を確定する。
【特許文献１】特開２００３−３１８６２８号公報
【発明の開示】
【発明が解決しようとする課題】
【０００８】
しかしながら、従来のアンテナ７０は、照準手段７１を取り付けるための取付機構を設ける必要があり、アンテナ７０のコストアップの要因となる。
また、照準手段７１が固定されるため、照準手段７１の種類が限定されてしまう。さらに、高所にて照準手段７１を覗く作業は困難である。
【０００９】
本発明は、従来の問題を解決するためになされたもので、アンテナ装置の設置時に作業者の負担を軽減するとともに、精度良くアンテナの通信エリア構築を行うことができるアンテナ装置を提供することを目的とする。
【課題を解決するための手段】
【００１０】
本発明のアンテナ装置は、筐体と、前記筐体内に設けられた狭域帯指向アンテナおよび無線部と、前記狭域帯指向アンテナの指向方向を調整すべく、前記筐体の俯角および水平角を調節する調節手段と、前記調節手段を他の固定用物体に固定する固定手段とを備え、前記狭域帯指向アンテナの中心を外部から判別するための判別手段が前記筐体に設けられたこと特徴とする。
【００１１】
本発明によれば、アンテナ装置を固定手段により支柱などの固定用物体に固定し、狭域帯指向アンテナの指向方向を調節する際に、判別手段によって外部からアンテナ中心を用意に判別できる。
【００１２】
これにより、筐体すなわち狭域帯指向アンテナの俯角、水平角を角度調節手段によって微調整し、所定の通信エリアの中心に設置されたレーザポインタのレーザ光が照射される位置に、アンテナ中心を高精度に且つ容易に向けることができる。
【００１３】
また、本発明は、前記筐体または筐体と一体化された部材に、前記他の固定用物体が設けられている地表面に対する前記狭域帯指向アンテナにおける中心の高さ、および前記地表面に対する前記筐体の平行度を調節するスレッドが設けられたことを特徴とする。
【００１４】
さらに、本発明は、前記スレッドが、前記筐体における前記アンテナの指向方向と平行な中心線の両側に設けられていることを特徴とする。
【発明の効果】
【００１５】
本発明によれば、狭域帯指向アンテナが内蔵された筐体に、狭域帯指向アンテナの中心を外部から判別するための判別手段が設けられているので、アンテナ装置を設置すべき現地にて、アンテナ中心を測定することなく、アンテナの指向方向を高精度に且つ容易に設定できる。従って、アンテナの設置作業を行う作業者の負担を軽減できる。
【発明を実施するための最良の形態】
【００１６】
以下、本発明に係るアンテナ装置の実施の形態について、図面を用いて詳細に説明する。
【００１７】
図１から図３は、本発明に係るアンテナ装置１を示す。図１に示すように、このアンテナ装置１は、筐体１１と、この筐体１１内に設けられた狭域帯指向アンテナ１２および無線部（図示せず）と、この狭域帯指向アンテナ１２の指向方向を調整すべく、筐体１１の俯角および水平角を調節する角度調節手段１３と、この角度調節手段１３を他の固定用物体である支柱１４に固定する固定手段としての取付金具１５とを備えている。
【００１８】
次に、上記の各構成要素について説明する。筐体１１は、箱状に形成されている。この筐体１１の前面には、電波を通す樹脂製のSUN-SHADE部４０が設けられている。このSUN-SHADE部４０には、電波を通す樹脂製のシート１６が設けられている。
【００１９】
また筐体１１には、狭域帯指向アンテナ１２の中心位置を示す判別手段１７が設けられている。本例では、筐体１１のシート１６に、判別手段１７としての目印が設けられている。
【００２０】
筐体１１の後面には、筐体１１を角度調整手段１３に係止する筐体係止部４１が設けられている。この筐体係止部４１は、図２に示すように、後述する俯角調節手段２１に設けられた被係止部４２に係止される。
【００２１】
上記の被係止部４２は略四角形であり、その両端部から上側に突出する突部４４に、上側が開口された係止溝４５が設けられている。また、被係止部４２の下端部には、孔付きの取付部４６が設けられている。
【００２２】
筐体１１の筐体係止部４１の上端部には、上記の被係止部４２における係止溝４５に、挿入可能な係止ボルト４７が設けられている。筐体係止部４１の下端部には、上記の被係止部における取付部４６に螺入されるボルト４８が設けられている。
【００２３】
筐体１１を角度調整手段１３に取り付ける場合は、筐体係止部４１の係止ボルト４７を緩めた状態で、係止ボルト４７を角度調整手段１３における被係止部４２の係止溝４５に上方から挿入し、係止ボルト４７を締め付ける。
【００２４】
また、筐体係止部４１の下端部をボルト４８によって被係止部４２の取付部４６に固定する。
【００２５】
図１の角度調節手段１３は、取付金具１５と筐体１１とを連結する連結部２０と、筐体１１の俯角を調節する俯角調節手段２１と、連結部２０の水平角を調節する水平角調節手段２２とを有している。
【００２６】
このうち、俯角調節手段２１には、筐体１１から取付金具１５側に突出し、且つ略垂直に配置された略半円状の板部材２３が一対設けられている。一方の板部材２３には、９０度の中心角を有する円弧状の長孔２４が設けられている。長孔２４の縁には、長孔２４の一端から他端にかけて、その部分の中心角度（０〜９０度）を示す目盛り２５が設けられている。
【００２７】
また、左右一対の板部材２３，２３間に連結部２０の一端部が挿入されている。この連結部２０の一端部は、六角頭付きのボルト２６によって板部材２３，２３に、回転自在に取り付けられている。また、連結部２０の一端部には、板部材２３の長孔２４に挿入されたボルト２７が螺入されている。
【００２８】
筐体１１の俯角を調節する場合は、ボルト２６，２７を緩めて、筐体１１をボルト２６を中心として上下（矢印ａ方向）に回転させ、筐体１１の俯角を所定の角度に設定した状態で、ボルト２７を締め付ける。これにより、筐体１１の俯角を所定の角度に調節して保持できる。
【００２９】
水平角調節手段２２には、取付金具１５から筐体１１側に突出し、且つ略水平に配置された略半円状の板部材２８，２８が一対設けられている。上側の板部材２８には、９０度の中心角を有する円弧状の長孔２９が設けられている。この長孔２９の縁には、長孔２９の一端から他端まで、その部分の中心角度（０〜９０度）を示す目盛り３０が設けられている。
【００３０】
また、上下一対の板部材２８，２８間には、連結部２０の他端部が挿入されている。この連結部２０の他端部は、ボルト３１によって板部材２８，２８に回転自在に取り付けられている。また、連結部２０の他端部には、板部材２８の長孔２９に挿入されたボルト３２が螺入されている。
【００３１】
筐体１１の水平角を調節する場合は、ボルト３１，３２を緩めて、筐体１１をボルト３１を中心として左右（矢印ｂ方向）に回転させ、筐体１１の水平角を所定の角度にした状態で、ボルト３２を締め付ける。これにより、筐体１１の水平角を所定の角度に調節して保持できる。
【００３２】
上記の取付金具１５は、支柱１４を把持する一対の把持部材３５，３６を有している。  これらの把持部材３５，３６の一方または両方には、支柱１４を嵌め入れるためＶ字状の切り欠き３７が設けられている。
【００３３】
また、把持部材３５，３６は、四角形に形成されている。そして、把持部材３５，３６の４隅部が、把持部材３５，３６を貫通するボルト３８およびナット３９によって締め付けられて支柱１４に固定されている。上記の水平角調節手段２２は、一方の把持部材３６に設けられている。
【００３４】
連結部２０の被係止部４２には、筐体１１の高さを設定するためのスレッド５０が設けられている。本例では、被係止部４２の両側端部に孔５１，５１が設けられ、これらの孔５１，５１に、所定の長さのスレッド５０，５０が結びつけられている。なお、スレッド５１，５１は、筐体１１に直接設けることもできる。
【００３５】
筐体１１には、図３に示すように、上記の狭域帯指向アンテナ１２が内蔵されている。  また、上記のように、筐体１１のシート１６には、狭域帯指向アンテナ１２の中心線上に配置された目印１７が設けられている。
【００３６】
次に、このアンテナ装置１の作用を説明する。アンテナ装置１は、次の手順で設置される。
【００３７】
まず、アンテナ装置１を設置するにあたり、事前に通信エリアのシミュレーションをコンピュータにて行う。シミュレーションでは、通信出力、アンテナの指向性、アンテナ装置の設置位置、ケーブルロスを始めとする損失マージン等のアンテナ装置の諸条件と、車載側アンテナ装置（図示せず）の諸条件を基に通信エリアを算出する。
上記シミュレーションの結果の一例を図４に示す。
Ｘ方向、及びＺ方向は、各々地表と平行な平面の位置座標を示し、各等高線は車載側アンテナ装置の設置高における前記地表と平行な平面上の通信レベルを示す。上記シミュレーションを繰り返し、最適な通信エリアから俯角、及び水平角を算出する。
上記シミュレーションで得られた諸条件に基づき、アンテナ装置の俯角、水平角を調整し、固定する。
【００３８】
アンテナ装置１を設置するにあたって、筐体１１を除いた、取付金具１５，俯角調節手段２２，連結部２０および水平角調節手段２１を一体にし、筐体１１の俯角θ１および水平角θ２を、俯角調節手段２２および水平角調節手段２１によって、上記のシミュレーションで求めた俯角および水平角に合わせて調節し、取付金具１５を支柱１４に固定する。
【００３９】
次に、水平角調節手段２１の被係止部４２に、筐体１１を取り付ける。次に、被係止部４２に設けられた孔５１，５１に、同一長さのスレッド５０，５０を結びつけて地表に垂らし、両方のスレッド５０，５０の先端が、地表面に触れるように取付金具１５の取付位置を調節する。これにより、筐体１１の水平度および高さを調節する。
【００４０】
次に、俯角調節手段２１のボルト２６，２７，水平角調節手段２２のボルト３１，３２を緩めて、俯角調節手段２１および水平角調節手段２２の調節を可能になる。
【００４１】
ここで、図５に示すように、地表の通信エリア面６１における通信エリア６２の中心に設置したレーザポインタ６３の俯角および水平角を予め調節する。
【００４２】
次に、通信エリア６２の中心に設置されたレーザポインタ６３から照射されるレーザ光６４が、狭域帯指向アンテナ１２の中心線上に設けられた目印１７に入射されるように、筐体１１の俯角及θ１び水平角θ２を微調整し、上記のボルト２６，２７，３１，３２を締め付けて俯角調節手段２１および水平角調節手段２２を固定する。これにより、アンテナ装置１の設置作業が終了する。
【００４３】
このように、本発明によれば、アンテナ装置１を、取付金具１５により支柱１４に固定し、狭域帯指向アンテナ１２の指向方向を調節する際に、目印１７によって外部からアンテナ中心を容易に判別できる。
【００４４】
従って、筐体１１の俯角、水平角を俯角調節手段２１および水平角調節手段２２によって微調整し、通信エリア６２の中心に設置されたレーザポインタ６３のレーザ光６４に対して、アンテナ中心を高精度で向けることができるとともに、アンテナ装置１を設置する作業者の負担を軽減できる。
【００４５】
また、本発明は、筐体１１と一体化された被係止部４２にスレッド５０，５０が設けられているので、地表面に対する狭域帯指向アンテナ１２における中心の高さ、および地表面に対する筐体１１の平行度を調節するのが容易になる。
【産業上の利用可能性】
【００４６】
以上のように、本発明に係るアンテナ装置は、アンテナの中心を外部から判別し易くすることにより、アンテナ指向方向の調整作業の負担を軽減するという効果を有し、特に通信エリアを絞り、精密な通信エリア設計を要するアンテナ装置として有用である。
【図面の簡単な説明】
【００４７】
【図１】本発明に係るアンテナ装置を前方から見た斜視図である
【図２】本発明に係るアンテナ装置を後方から見た斜視図である。
【図３】本発明に係るアンテナ装置の正面図である。
【図４】本発明に係るシュミレーション結果を示す図である。
【図５】本発明に係るアンテナ装置の俯角および調整角を調整する方法を示す図である。
【図６】従来例に係るアンテナ装置を示す斜視図である。
【符号の説明】
【００４８】
１    アンテナ装置
１１  筐体
１２  狭域帯指向アンテナ
１３  角度調整手段
１４  支柱
１５  取付金具
１６  シート
１７  目印（判別手段）
２０  連結部
２１  俯角調節手段
２２  水平角調節手段
２３  板部材
２４  長孔
２５  目盛り
２６  ボルト
２７  ボルト
２８  板部材
２９  長孔
３０  目盛り
３１  ボルト
３２  ボルト
３５  把持部材
３６  把持部材
３７  切り欠き
３８  ボルト
３９  ナット
４０  SUN-SHADE部
４１  筐体係止部
４２  被係止部
４４  突部
４５  係止溝
４６  取付部
４７  ボルト
４８  ボルト
５０  スレッド
５１  孔
６１  通信エリア面
６２  通信エリア
６３  レーザーポインタ
６４  レーザ光
７０  アンテナ
７１  照準手段
７２  支持台
７３  支持脚
７４  ノブ
【図１】
2006211110.tif 000003
【図２】
2006211110.tif 000004
【図３】
2006211110.tif 000005
【図４】
2006211110.tif 000006
【図５】
2006211110.tif 000007
【図６】
2006211110.tif 000008